(57)【特許請求の範囲】
【請求項１】
電力が供給されることにより、光信号を受信する光信号受信手段と、
前記受信された光信号に基づいて、前記光信号受信手段への電力の供給を制御する電力供給制御手段と、
を備え、
前記光信号受信手段は、電力が供給されることにより、前記光信号を受信する受光素子を複数含み、
前記電力供給制御手段は、複数の発光部のそれぞれにより送信された光信号の少なくとも１つを受信可能な領域である受光領域の中央部に前記受光装置が位置している場合、前記複数の受光素子の一部に電力を供給し、一方、当該受光領域の端部に当該受光装置が位置している場合、前記複数の受光素子のすべてに電力を供給するように構成された受光装置。
【請求項２】
請求項１に記載の受光装置であって、
前記光信号は、当該光信号を受信する装置の位置が、前記受光領域の中央部、及び、当該受光領域の端部、のいずれであるかを表す受光領域内位置情報を表す部分を含み、
前記電力供給制御手段は、前記受信された光信号が表す受光領域内位置情報に基づいて、前記光信号受信手段への電力の供給を制御するように構成された受光装置。
【請求項３】
光信号を送信する発光装置と、
前記送信された光信号を受信する受光装置と、
を備える光通信システムであって、
前記受光装置は、
電力が供給されることにより、前記送信された光信号を受信する光信号受信手段と、
前記受信された光信号に基づいて、前記光信号受信手段への電力の供給を制御する電力供給制御手段と、
を備え、
前記光信号受信手段は、電力が供給されることにより、前記光信号を受信する受光素子を複数含み、
前記電力供給制御手段は、複数の発光部のそれぞれにより送信された光信号の少なくとも１つを受信可能な領域である受光領域の中央部に前記受光装置が位置している場合、前記複数の受光素子の一部に電力を供給し、一方、当該受光領域の端部に当該受光装置が位置している場合、前記複数の受光素子のすべてに電力を供給するように構成された光通信システム。
【請求項４】
電力が供給されることにより、光信号を受信する光信号受信手段を備える受光装置に適用され、
前記受信された光信号に基づいて、前記光信号受信手段への電力の供給を制御し、
前記光信号受信手段は、電力が供給されることにより、前記光信号を受信する受光素子を複数含み、
複数の発光部のそれぞれにより送信された光信号の少なくとも１つを受信可能な領域である受光領域の中央部に前記受光装置が位置している場合、前記複数の受光素子の一部に電力を供給し、一方、当該受光領域の端部に当該受光装置が位置している場合、前記複数の受光素子のすべてに電力を供給する受光装置制御方法。
【請求項５】
電力が供給されることにより、光信号を受信する光信号受信手段を備える受光装置に、
前記受信された光信号に基づいて、前記光信号受信手段への電力の供給を制御する、処理を実行させ、
前記光信号受信手段は、電力が供給されることにより、前記光信号を受信する受光素子を複数含み、
複数の発光部のそれぞれにより送信された光信号の少なくとも１つを受信可能な領域である受光領域の中央部に前記受光装置が位置している場合、前記複数の受光素子の一部に電力を供給し、一方、当該受光領域の端部に当該受光装置が位置している場合、前記複数の受光素子のすべてに電力を供給する受光装置制御プログラム。
【発明の詳細な説明】
【技術分野】
【０００１】
本発明は、電力が供給されることにより光信号を受信する受光装置に関する。
【背景技術】
【０００２】
電力が供給されることにより光信号を受信する受光装置が知られている。この種の受光装置の一つとして、特許文献１に記載の受光装置は、電力が供給されることにより、光信号を受信する受光素子を備える。受光装置は、予め設定された受信単位周期（この例では、１秒）が経過する毎に、予め設定された常時供給期間（この例では、１００ｍｓ）だけ、受光素子に電力を供給する。
【０００３】
そして、受光装置は、常時供給期間において光信号が受信された場合、当該常時供給期間に後続する選択供給期間（この例では、９００ｍｓ）においても、受光素子に電力を供給し続ける。一方、受光装置は、常時供給期間において光信号が受信されなかった場合、当該常時供給期間に後続する選択供給期間においては、受光素子への電力の供給を停止する。
【０００４】
これにより、上記受光装置は、光信号が受信されない期間において消費される電力の量を低減することができる。
【先行技術文献】
【特許文献】
【０００５】
【特許文献１】特開２０００−１４６６９０号公報
【発明の概要】
【発明が解決しようとする課題】
【０００６】
上記受光装置は、光信号が受信されている限り、受光素子へ電力を供給し続ける。ところで、受光装置は、複数の受光素子を備える場合がある。このような場合において、複数の受光素子の大部分が同一の光信号を受信する可能性が比較的高い場合、複数の受光素子のすべてに電力を供給すると、無駄に電力が消費される可能性が比較的高い。
【０００７】
また、同一の情報を表す光信号が繰り返し送信される場合がある。このような場合において、過去に受信された光信号が表す情報と同一の情報を表す光信号を受信する可能性が比較的高い場合、受光素子に電力を供給し続けると、無駄に電力が消費される可能性が比較的高い。
【０００８】
このように、上記受光装置においては、光信号を受信可能な期間において、電力が無駄に消費される虞があった。
【０００９】
このため、本発明の目的は、上述した課題である「光信号を受信可能な期間において電力が無駄に消費される可能性が比較的高いこと」を解決することが可能な受光装置を提供することにある。
【課題を解決するための手段】
【００１０】
かかる目的を達成するため本発明の一形態である受光装置は、
電力が供給されることにより、光信号を受信する光信号受信手段と、
上記受信された光信号に基づいて、上記光信号受信手段への電力の供給を制御する電力供給制御手段と、
を備える。
【００１１】
また、本発明の他の形態である光通信システムは、
光信号を送信する発光装置と、
上記送信された光信号を受信する受光装置と、
を備えるシステムである。
【００１２】
更に、上記受光装置は、
電力が供給されることにより、上記送信された光信号を受信する光信号受信手段と、
上記受信された光信号に基づいて、上記光信号受信手段への電力の供給を制御する電力供給制御手段と、
を備える。
【００１３】
また、本発明の他の形態である受光装置制御方法は、
電力が供給されることにより、光信号を受信する光信号受信手段を備える受光装置に適用され、
上記受信された光信号に基づいて、上記光信号受信手段への電力の供給を制御する方法である。
【００１４】
また、本発明の他の形態である受光装置制御プログラムは、
電力が供給されることにより、光信号を受信する光信号受信手段を備える受光装置に、
上記受信された光信号に基づいて、上記光信号受信手段への電力の供給を制御する、処理を実行させるためのプログラムである。
【発明の効果】
【００１５】
本発明は、以上のように構成されることにより、光信号を受信可能な期間において電力が無駄に消費されることを回避することができる。
【図面の簡単な説明】
【００１６】
【図１】本発明の第１実施形態に係る光通信システムの概略構成を表す図である。
【図２】本発明の第１実施形態に係る制御情報を概念的に示した説明図である。
【図３】本発明の第１実施形態に係る部分コンテンツ情報を概念的に示した説明図である。
【図４】本発明の第１実施形態に係る、コンテンツと部分コンテンツとの関係を概念的に示した説明図である。
【図５】本発明の第１実施形態に係る、受光領域の中央部、受光領域の端部、及び、非受光領域を概念的に示した説明図である。
【図６】本発明の第１実施形態に係る受光装置の概略構成を表す図である。
【図７】本発明の第１実施形態に係る発光装置が送信する光信号が表す情報を概念的に示したタイムチャートである。
【図８】本発明の第１実施形態に係る受光装置が実行する受光装置制御プログラムを示したフローチャートである。
【図９】本発明の第１実施形態に係る受光装置が実行する制御情報受信時処理プログラムを示したフローチャートである。
【図１０】本発明の第１実施形態に係る受光装置が制御情報を受信している場合における、受光素子への電力の供給の有無を概念的に示したタイムチャートである。
【図１１】本発明の第１実施形態に係る受光装置が制御情報を受信しなかった場合における、受光素子への電力の供給の有無を概念的に示したタイムチャートである。
【図１２】本発明の第２実施形態に係る受光装置の機能の概略を表す図である。
【発明を実施するための形態】
【００１７】
以下、本発明に係る、受光装置、光通信システム、受光装置制御方法、及び、受光装置制御プログラム、の各実施形態について図１〜図１２を参照しながら説明する。
【００１８】
＜第１実施形態＞
（構成）
図１に示したように、第１実施形態に係る光通信システム１は、光信号を送信する発光装置１０と、発光装置１０により送信された光信号を受信する、複数の受光装置２０１，２０２，２０３，…，２０ｋと、を備える。なお、光通信システム１は、発光装置を複数備えていてもよい。また、光通信システム１は、受光装置を１つだけ備えていてもよい。
【００１９】
例えば、受光装置２０１，２０２，２０３，…，２０ｋは、ユーザにより携帯される。また、受光装置２０１，２０２，２０３，…，２０ｋは、車等の移動体に搭載される。
【００２０】
発光装置１０は、処理装置（例えば、マイクロコンピュータ等）１１と、複数の発光部１２１，１２２，１２３，…，１２ｉと、を備える。
【００２１】
処理装置１１は、制御情報と、コンテンツ情報と、からなる送信単位情報を複数、生成する。本例では、処理装置１１は、送信単位情報を繰り返し生成し続ける。
【００２２】
制御情報は、後述する受光装置における受光素子への電力の供給を制御するための情報である。具体的には、図２に示したように、制御情報は、プリアンブルと、スタートパターンと、情報の種類を識別するための信号名と、受光領域内位置情報と、更新日時情報と、を含む。
【００２３】
プリアンブル、スタートパターン、及び、信号名のそれぞれは、図２に示したように、予め設定されたビット列である。
受光領域内位置情報は、光信号を受信する装置（本例では、受光装置２０１，２０２，２０３，…，２０ｋ）の位置が、受光領域の中央部、及び、受光領域の端部、のいずれであるかを表す情報である。受光領域は、複数の発光部１２１，１２２，１２３，…，１２ｉのそれぞれにより送信された光信号の少なくとも１つを、装置（本例では、受光装置２０１，２０２，２０３，…，２０ｋ）が受信可能な領域である。
【００２４】
本例では、受光領域内位置情報は、ビット列が「００」である場合、受光領域の中央部であることを表し、一方、ビット列が「０１」である場合、受光領域の端部であることを表す。
更新日時情報は、コンテンツが更新（変更）された日時を表す情報である。
【００２５】
コンテンツ情報は、制御情報に後続する情報である。コンテンツ情報は、コンテンツの少なくとも一部を表す情報である。例えば、コンテンツは、発光装置１０が設置されている位置を表す位置情報（例えば、緯度、経度及び標高等）、当該位置の近傍における交通の状況を表す情報、又は、商品を表す情報等である。
【００２６】
本例では、コンテンツ情報は、複数の部分コンテンツ情報からなる。本例では、１つのコンテンツ情報に含まれる部分コンテンツ情報の数は、予め設定された数である。また、各部分コンテンツ情報のデータサイズは、予め設定されたデータサイズである。
【００２７】
各部分コンテンツ情報は、図３に示したように、プリアンブルと、スタートパターンと、情報の種類を識別するための信号名と、部分コンテンツと、を含む。プリアンブル、スタートパターン、及び、信号名のそれぞれは、図３に示したように、予め設定されたビット列である。
【００２８】
部分コンテンツは、図４に示したように、１つのコンテンツを、予め設定された大きさ（データサイズ）毎に分割することにより生成される、複数（図４に示した例においては、ｍ個）の部分コンテンツの１つである。
【００２９】
発光装置１０は、コンテンツを予め記憶する。なお、発光装置１０は、コンテンツを生成してもよいし、コンテンツを他の装置から受信してもよい。
【００３０】
本例では、第１の部分コンテンツを含む第１の部分コンテンツ情報に後続する第２の部分コンテンツ情報（第１の部分コンテンツ情報がコンテンツ情報の末尾である場合には、次に生成される送信単位情報の先頭の部分コンテンツ情報）が含む第２の部分コンテンツは、元のコンテンツにおいて、第１の部分コンテンツに後続する部分コンテンツである。ここで、第１の部分コンテンツが、元のコンテンツにおける末尾の部分コンテンツである場合、第２の部分コンテンツは、元のコンテンツにおける先頭の部分コンテンツである。
【００３１】
即ち、部分コンテンツ＃１を含む部分コンテンツ情報に後続する部分コンテンツ情報は、部分コンテンツ＃２を含む。同様に、部分コンテンツ＃２を含む部分コンテンツ情報に後続する部分コンテンツ情報は、部分コンテンツ＃３を含む。また、部分コンテンツ＃ｍを含む部分コンテンツ情報に後続する部分コンテンツ情報は、部分コンテンツ＃１を含む。
【００３２】
複数の発光部１２１，１２２，１２３，…，１２ｉのそれぞれは、可視光を発することによって、光信号を送信する。即ち、本例では、光信号は、可視光を変調することにより生成される信号である。
【００３３】
このとき、複数の発光部１２１，１２２，１２３，…，１２ｉのそれぞれは、処理装置１１により生成された複数の送信単位情報を表す複数の光信号を連続させるように光信号を送信する。即ち、複数の発光部１２１，１２２，１２３，…，１２ｉのそれぞれは、ある送信単位情報を表す光信号の送信の終了後、直ちに、次の送信単位情報を表す光信号の送信を開始する。
【００３４】
このように、複数の発光部１２１，１２２，１２３，…，１２ｉのそれぞれは、光信号を繰り返し送信する。
更に、複数の発光部１２１，１２２，１２３，…，１２ｉのそれぞれは、送信単位情報が生成された順に、その送信単位情報を表す光信号を送信する。
【００３５】
また、複数の発光部１２１，１２２，１２３，…，１２ｉは、正方形の領域内に格子状に配置されている。
図５は、複数の発光部１２１，１２２，１２３，…，１２ｉが配置されている発光装置１０の表面と平行な平面における受光領域を示す。受光領域の中央部ＲＣの外周には、受光領域の端部ＲＥが存在している。更に、受光領域の端部ＲＥの外周には、非受光領域ＮＲが存在している。
【００３６】
非受光領域ＮＲは、複数の発光部１２１，１２２，１２３，…，１２ｉのそれぞれにより送信された光信号のいずれも、装置（本例では、受光装置２０１，２０２，２０３，…，２０ｋ）が受信不能な領域である。
【００３７】
本例では、複数の発光部１２１，１２２，１２３，…，１２ｉのうちの最も外側に配置された発光部（最外側発光部）は、光信号を受信する装置の位置が受光領域の端部ＲＥであることを表す受光領域内位置情報を含む制御情報を表す光信号を送信する。
【００３８】
また、複数の発光部１２１，１２２，１２３，…，１２ｉのうちの最外側発光部以外の発光部は、光信号を受信する装置の位置が受光領域の中央部ＲＣであることを表す受光領域内位置情報を含む制御情報を表す光信号を送信する。
【００３９】
受光装置２０１は、図６に示したように、処理装置（例えば、マイクロコンピュータ等）２１と、記憶装置（例えば、メモリ等）２２と、電源装置２３と、複数の受光素子（光信号受信手段）２４１，２４２，２４３，…，２４ｊと、スイッチ２５と、を備える。なお、受光装置２０１は、受光素子を１つだけ備えていてもよい。
【００４０】
複数の受光素子２４１，２４２，２４３，…，２４ｊのそれぞれは、電源装置２３から電力が供給されることにより、光信号を受信する。本例では、複数の受光素子２４１，２４２，２４３，…，２４ｊのそれぞれは、光信号を受け付け、受け付けた光信号を電気信号に変換する。
【００４１】
本例では、複数の受光素子２４１，２４２，２４３，…，２４ｊは、１列に（即ち、１つの直線上に並ぶように）配置される。なお、複数の受光素子２４１，２４２，２４３，…，２４ｊは、格子状に配置されていてもよい。また、複数の受光素子２４１，２４２，２４３，…，２４ｊは、円形状、又は、多角形状を形成するように配置されていてもよい。
【００４２】
スイッチ２５は、処理装置２１からの指示信号に応じて、複数の受光素子２４１，２４２，２４３，…，２４ｊのそれぞれに対して、電力供給状態と電力遮断状態とにスイッチ２５の状態が切り替わる。電力供給状態は、受光素子２４１，２４２，２４３，…，２４ｊへ、電源装置２３からの電力を供給する状態である。電力遮断状態は、受光素子２４１，２４２，２４３，…，２４ｊへ、電源装置２３からの電力を遮断する状態である。
【００４３】
処理装置２１は、記憶装置２２に記憶されているプログラムを実行することにより、複数の受光素子２４１，２４２，２４３，…，２４ｊのそれぞれに対する電力の供給を制御する。
【００４４】
具体的には、処理装置２１は、複数の受光素子２４１，２４２，２４３，…，２４ｊにより受信された光信号に基づいて、複数の受光素子２４１，２４２，２４３，…，２４ｊへの電力の供給を制御するようにスイッチ２５へ指示信号を出力する。即ち、処理装置２１及びスイッチ２５は、電力供給制御手段を構成している。
【００４５】
本例では、処理装置２１は、受信された光信号が表す受光領域内位置情報が、受光領域の中央部ＲＣに受光装置２０１が位置していることを表す場合、複数の受光素子２４１，２４２，２４３，…，２４ｊの一部のみに電力を供給するようにスイッチ２５へ指示信号を出力する。例えば、処理装置２１は、複数の受光素子２４１，２４２，２４３，…，２４ｊの半分のみに電力を供給するようにスイッチ２５へ指示信号を出力する。
【００４６】
一方、処理装置２１は、受信された光信号が表す受光領域内位置情報が、受光領域の端部ＲＥに受光装置２０１が位置していることを表す場合、複数の受光素子２４１，２４２，２４３，…，２４ｊのすべてに電力を供給するようにスイッチ２５へ指示信号を出力する。
【００４７】
なお、処理装置２１は、受光領域内位置情報に基づいて、受光領域の中央部ＲＣに受光装置２０１が位置しているか否かを判定していたが、受信された光信号の強度、又は、受信された光信号の誤り率等に基づいて、受光領域の中央部ＲＣに受光装置２０１が位置しているか否かを判定するように構成されていてもよい。
【００４８】
また、図７に示したように、処理装置２１は、制御情報送信期間Ｔ１において、複数の受光素子２４１，２４２，２４３，…，２４ｊへ電力を供給するようにスイッチ２５へ指示信号を出力する。制御情報送信期間Ｔ１は、光信号のうちの、制御情報を表す部分が送信される期間である。
【００４９】
また、処理装置２１は、受信された光信号が表す更新日時情報を記憶装置２２に記憶させる。即ち、記憶装置２２が記憶する更新日時情報は、過去に受信された光信号が表す更新日時情報が表す日時のうちの最新の日時を表す更新日時情報である。記憶装置２２は、最新更新日時記憶手段を構成している。
【００５０】
更に、処理装置２１は、受信された光信号が表す更新日時情報が表す日時が、記憶装置２２に記憶されている更新日時情報が表す日時と一致している場合、前回コンテンツと同一のコンテンツを表す光信号が送信されると判定する。ここで、前回コンテンツは、前回、受信された光信号が表すコンテンツである。
【００５１】
一方、処理装置２１は、受信された光信号が表す更新日時情報が表す日時が、記憶装置２２に記憶されている更新日時情報が表す日時よりも後の日時である場合、前回コンテンツと異なるコンテンツを表す光信号が送信されると判定する。
【００５２】
そして、処理装置２１は、前回コンテンツと異なるコンテンツを表す光信号が送信される場合、コンテンツ情報送信期間Ｔ２において、複数の受光素子２４１，２４２，２４３，…，２４ｊへ電力を供給するようにスイッチ２５へ指示信号を出力する。コンテンツ情報送信期間Ｔ２は、上記光信号のうちのコンテンツ情報を表す部分が送信される期間である。
【００５３】
一方、処理装置２１は、前回コンテンツと同一のコンテンツを表す光信号が送信される場合、コンテンツ情報送信期間Ｔ２において、複数の受光素子２４１，２４２，２４３，…，２４ｊへの電力の供給を停止するようにスイッチ２５へ指示信号を出力する。
【００５４】
なお、処理装置２１は、更新日時情報に基づいて、前回コンテンツと同一のコンテンツを表す光信号が送信されるか否かを判定していたが、制御情報が更新日時情報以外の情報（例えば、コンテンツを識別するためのコンテンツ識別情報等）を含む場合、その情報に基づいて、前回コンテンツと同一のコンテンツを表す光信号が送信されるか否かを判定するように構成されていてもよい。
【００５５】
更に、処理装置２１は、前回、送信された光信号のうちの制御情報を表す部分が受信されなかった場合、今回、光信号のうちの制御情報を表す部分の受信が開始する時点として推定される時点よりも前の時点から、複数の受光素子２４１，２４２，２４３，…，２４ｊへの電力の供給が開始するようにスイッチ２５へ指示信号を出力する。
【００５６】
また、処理装置２１は、処理状態と待機状態とに処理装置２１の作動状態が切り替わるように構成される。処理状態は、電源装置２３から処理装置２１へ第１の電力量の電力が供給されることにより、処理を実行可能な状態である。本例では、処理は、受信された光信号が表す情報に対する処理、及び、複数の受光素子２４１，２４２，２４３，…，２４ｊへの電力の供給を制御するための処理、を含む。
【００５７】
また、待機状態は、上記第１の電力量よりも少ない第２の電力量の電力が電源装置２３から処理装置２１へ供給される状態である。待機状態は、処理装置２１が上記処理を実行不能な状態である。なお、待機状態は、電源装置２３から処理装置２１へ電力が供給されない状態であってもよい。
【００５８】
処理装置２１は、複数の受光素子２４１，２４２，２４３，…，２４ｊに電力が供給されている場合、処理装置２１の作動状態を処理状態に設定する。一方、複数の受光素子２４１，２４２，２４３，…，２４ｊへの電力の供給が停止している場合、処理装置２１は、処理装置２１の作動状態を待機状態に設定する。
【００５９】
また、受光装置２０１は、カウントダウン式のタイマーを備える。タイマーは、処理装置１１によって残余時間が設定されることにより、残余時間が設定された時点から経過した時間が当該残余時間と一致した時点にて、予め設定された割込信号を処理装置１１へ出力する。
【００６０】
また、他の受光装置２０２，２０３，…，２０ｋのそれぞれも、受光装置２０１と同様に構成されている。
【００６１】
（作動）
次に、上述した光通信システム１の作動について図８乃至図１１を参照しながら説明する。
受光装置２０１は、図８にフローチャートにより示した受光装置制御プログラムを、受光装置２０１の起動時に実行するようになっている。なお、他の受光装置２０２，２０３，…，２０ｋも同様に作動する。
【００６２】
具体的に述べると、受光装置２０１は、処理装置２１の作動状態を処理状態に設定した後、受光装置制御プログラムの処理を開始すると、ステップＳ１０１にて、電力供給受光素子数制御フラグＦｎを全部供給値Ｖａｌｌに設定する。電力供給受光素子数制御フラグＦｎは、電力を供給する対象となる受光素子の数を制御するためのフラグである。
【００６３】
電力供給受光素子数制御フラグＦｎが全部供給値Ｖａｌｌに設定されている場合、後述するように、受光装置２０１は、複数の受光素子２４１，２４２，２４３，…，２４ｊのすべてに電力を供給する。一方、電力供給受光素子数制御フラグＦｎが一部供給値Ｖｐａｒｔに設定されている場合、後述するように、受光装置２０１は、複数の受光素子２４１，２４２，２４３，…，２４ｊの一部のみに電力を供給する。
【００６４】
次いで、受光装置２０１は、電力供給受光素子数制御フラグＦｎに従って、複数の受光素子２４１，２４２，２４３，…，２４ｊへの電力の供給を開始する（ステップＳ１０２）。ここでは、電力供給受光素子数制御フラグＦｎが全部供給値Ｖａｌｌに設定されているので、受光装置２０１は、複数の受光素子２４１，２４２，２４３，…，２４ｊのすべてへ電力を供給する。
【００６５】
次いで、受光装置２０１は、光信号のうちの制御情報を表す部分（即ち、制御情報）の受信を完了するまで待機する（ステップＳ１０３）。
いま、受光装置２０１が受光領域の端部ＲＥに位置している場合を想定する。この場合、受光装置２０１は、図１０に示した時点ｔ２にて、制御情報の受信を完了する。これにより、受光装置２０１は、ステップＳ１０４へ進み、第２の電力供給制御期間Ｉ２を、第２の基本電力供給制御期間Ｉ２０に設定する。ここで、第２の基本電力供給制御期間Ｉ２０は、コンテンツ情報送信期間Ｔ２である。なお、受光装置２０１は、第２の基本電力供給制御期間Ｉ２０を予め記憶している。
【００６６】
更に、受光装置２０１は、第１の電力供給制御期間Ｉ１を、第１の基本電力供給制御期間Ｉ１０に設定する。ここで、第１の基本電力供給制御期間Ｉ１０は、制御情報送信期間Ｔ１である。なお、受光装置２０１は、第１の基本電力供給制御期間Ｉ１０を予め記憶している。
加えて、受光装置２０１は、タイマーの残余時間Ｔを第２の電力供給制御期間Ｉ２に設定する。
【００６７】
そして、受光装置２０１は、ステップＳ１０５に進んで、制御情報受信時処理を実行するため、図９に示した制御情報受信時処理プログラムの実行を開始する。
具体的には、受光装置２０１は、ステップＳ２０１にて、受光位置（受光装置２０１の位置）が受光領域の中央部ＲＣであるか否かを判定する。
【００６８】
本例では、受光装置２０１は、受信された制御情報に含まれる受光領域内位置情報に基づいて上記判定を行う。上記仮定に従えば、受光装置２０１は、受光領域の端部ＲＥに位置している。従って、受光装置２０１は、「Ｎｏ」と判定してステップＳ２０２へ進み、電力供給受光素子数制御フラグＦｎを全部供給値Ｖａｌｌに設定する。
【００６９】
次いで、受光装置２０１は、受信された制御情報に含まれる（受信された光信号が表す）更新日時情報が表す日時（更新日時）が、記憶装置２２に記憶されている更新日時情報が表す日時と一致しているか否かを判定する（ステップＳ２０３）。
【００７０】
この時点では、記憶装置２２は、いずれの更新日時情報も記憶していない。従って、受光装置２０１は、「Ｎｏ」と判定してステップＳ２０４へ進み、記憶装置２２に記憶されている更新日時情報を更新する。この時点では、受光装置２０１は、受信された制御情報に含まれる更新日時情報を新たに記憶装置２２に記憶させる。
【００７１】
そして、受光装置２０１は、制御情報受信時処理の実行を終了し、図８のステップＳ１０６へ進む。次いで、受光装置２０１は、複数の受光素子２４１，２４２，２４３，…，２４ｊのいずれかへ電力を供給しているか否かを判定する。
【００７２】
この時点では、受光装置２０１は、複数の受光素子２４１，２４２，２４３，…，２４ｊのすべてへ電力を供給している。従って、受光装置２０１は、「Ｙｅｓ」と判定してステップＳ１０７へ進み、処理装置２１がタイマーからの割込信号を受け付けるまで待機する。
【００７３】
そして、図１０に示した時点ｔ３にて、処理装置２１は、タイマーからの割込信号を受け付ける。この時点にて、受光装置２０１は、光信号のうちのコンテンツ情報を表す部分（即ち、コンテンツ情報）の受信を完了する。そして、受光装置２０１は、受信されたコンテンツ情報を記憶装置２２に記憶させる。これにより、受光装置２０１は、「Ｙｅｓ」と判定してステップＳ１０８に進む。
【００７４】
そして、受光装置２０１は、タイマーの残余時間Ｔを第１の電力供給制御期間Ｉ１に設定する。次いで、受光装置２０１は、電力供給受光素子数制御フラグＦｎに従って、複数の受光素子２４１，２４２，２４３，…，２４ｊへの電力の供給を開始する（ステップＳ１０９）。ここでは、電力供給受光素子数制御フラグＦｎが全部供給値Ｖａｌｌに設定されているので、受光装置２０１は、複数の受光素子２４１，２４２，２４３，…，２４ｊのすべてへ電力を供給する。
【００７５】
なお、この時点では、既に、複数の受光素子２４１，２４２，２４３，…，２４ｊのすべてへ電力が供給されているので、受光装置２０１は、複数の受光素子２４１，２４２，２４３，…，２４ｊへの電力の供給を継続する。
【００７６】
次いで、受光装置２０１は、割込信号を受け付けるという第１の条件、及び、制御情報の受信を完了するという第２の条件の少なくとも１つが成立するまで待機する（ステップＳ１１０）。そして、図１０に示した時点ｔ４にて、処理装置２１は、タイマーからの割込信号を受け付ける。更に、この時点ｔ４にて、受光装置２０１は、制御情報の受信を完了する。
【００７７】
従って、受光装置２０１は、「Ｙｅｓ」と判定してステップＳ１１１へ進み、制御情報の受信を完了したか否かを判定する。上述したように、受光装置２０１は、制御情報の受信を完了しているので、「Ｙｅｓ」と判定してステップＳ１０４へ進む。
【００７８】
そして、受光装置２０１は、第２の電力供給制御期間Ｉ２を、第２の基本電力供給制御期間Ｉ２０に設定する。更に、受光装置２０１は、第１の電力供給制御期間Ｉ１を、第１の基本電力供給制御期間Ｉ１０に設定する。加えて、受光装置２０１は、タイマーの残余時間Ｔを第２の電力供給制御期間Ｉ２に設定する。
【００７９】
そして、受光装置２０１は、ステップＳ１０５に進んで、制御情報受信時処理を実行する。この時点では、受信された制御情報に含まれる更新日時情報が表す日時（更新日時）が、記憶装置２２に記憶されている更新日時情報が表す日時と一致している。即ち、前回コンテンツと同一のコンテンツを表す光信号が送信される。
【００８０】
従って、受光装置２０１は、ステップＳ２０３に進んだとき、「Ｙｅｓ」と判定してステップＳ２０５へ進む。そして、受光装置２０１は、複数の受光素子２４１，２４２，２４３，…，２４ｊへの電力の供給を停止する。
【００８１】
そして、受光装置２０１は、制御情報受信時処理の実行を終了し、図８のステップＳ１０６へ進む。次いで、受光装置２０１は、ステップＳ１０６にて「Ｎｏ」と判定し、ステップＳ１１４へ進む。
【００８２】
そして、受光装置２０１は、処理装置２１がタイマーからの割込信号を受け付けるまで、処理装置２１の作動状態を待機状態に設定する。その後、図１０に示した時点ｔ５にて、処理装置２１は、タイマーからの割込信号を受け付ける。これにより、受光装置２０１は、処理装置２１の作動状態を処理状態に設定する。
【００８３】
従って、受光装置２０１は、コンテンツ情報送信期間Ｔ２において、複数の受光素子２４１，２４２，２４３，…，２４ｊへの電力の供給を停止するとともに、処理装置２１の作動状態を待機状態に設定する。
【００８４】
これによれば、複数の受光素子２４１，２４２，２４３，…，２４ｊに電力が供給されている場合にのみ、処理装置２１の作動状態が処理状態に設定される。従って、光信号を受信可能な期間において消費される電力の量をより一層、低減することができる。
そして、受光装置２０１は、以降の処理を同様に実行する。
【００８５】
その後、発光装置１０により送信される光信号が表すコンテンツが更新されると、制御情報に含まれる更新日時情報が表す日時が、記憶装置２２に記憶されている更新日時情報が表す日時よりも後の日時となる。
【００８６】
この時点では、受光装置２０１は、図９のステップ２０３に進んだとき、再び、「Ｎｏ」と判定し、コンテンツ情報送信期間Ｔ２において、複数の受光素子２４１，２４２，２４３，…，２４ｊへ電力を供給する。
【００８７】
次に、受光装置２０１が受光領域の中央部ＲＣに位置している場合を想定する。この場合、受光装置２０１は、図９のステップＳ２０１に進んだとき、「Ｙｅｓ」と判定してステップＳ２０６へ進む。
【００８８】
そして、受光装置２０１は、電力供給受光素子数制御フラグＦｎを一部供給値Ｖｐａｒｔに設定する。そして、受光装置２０１は、以降の処理を同様に実行する。
この場合において、受光装置２０１は、図８のステップＳ１０９に進んだとき、複数の受光素子２４１，２４２，２４３，…，２４ｊの一部のみへ電力を供給する。
【００８９】
次に、図１１に示したように、時点ｔ１３にて、受光装置２０１が受光領域から非受光領域ＮＲへ移動した場合を想定する。この場合、時点ｔ１３から時点ｔ１４までの制御情報送信期間Ｔ１において、受光装置２０１は、制御情報を受信できない。
【００９０】
従って、受光装置２０１は、図８のステップＳ１１１に進んだとき、「Ｎｏ」と判定してステップＳ１１２へ進む。
【００９１】
そして、受光装置２０１は、第２の電力供給制御期間Ｉ２を、第２の基本電力供給制御期間Ｉ２０から、所定の補正時間Δを減じた値Ｉ２０−Δに設定する。更に、受光装置２０１は、第１の電力供給制御期間Ｉ１を、第１の基本電力供給制御期間Ｉ１０に上記補正時間Δを加えた値Ｉ１０＋Δに設定する。加えて、受光装置２０１は、タイマーの残余時間Ｔを第２の電力供給制御期間Ｉ２に設定する。更に、受光装置２０１は、電力供給受光素子数制御フラグＦｎを全部供給値Ｖａｌｌに設定する。
【００９２】
次いで、受光装置２０１は、複数の受光素子２４１，２４２，２４３，…，２４ｊへの電力の供給を停止する（ステップＳ１１３）。そして、受光装置２０１は、以降の処理を同様に実行する。
【００９３】
これにより、受光装置２０１は、時点ｔ１４から時点ｔ１５までの期間において、複数の受光素子２４１，２４２，２４３，…，２４ｊへの電力の供給を停止する。そして、受光装置２０１は、時点ｔ１５にて複数の受光素子２４１，２４２，２４３，…，２４ｊへの電力の供給を開始する。
【００９４】
即ち、受光装置２０１は、前回、送信された光信号のうちの制御情報を表す部分が受信されなかった場合、今回、光信号のうちの制御情報を表す部分の受信が開始する時点として推定される時点（本例では、時点ｔ１６）よりも前の時点（本例では、時点ｔ１５）から、複数の受光素子２４１，２４２，２４３，…，２４ｊへの電力の供給を開始する。
【００９５】
ところで、前回、送信された光信号のうちの制御情報を表す部分が受信されなかった場合、今回、光信号のうちの制御情報を表す部分の受信が開始する時点として推定される時点が、実際に当該部分の受信が開始する時点と一致しない可能性が比較的高い。これに対し、受光装置２０１によれば、今回、光信号のうちの制御情報を表す部分を確実に受信することができる。
【００９６】
以上、説明したように、本発明の第１実施形態に係る受光装置２０１は、受信された光信号に基づいて、複数の受光素子２４１，２４２，２４３，…，２４ｊへの電力の供給を制御する。
【００９７】
これによれば、光信号を受信可能な（即ち、複数の受光素子２４１，２４２，２４３，…，２４ｊへ電力を供給すれば、光信号を受信することができる）期間において電力が無駄に消費されることを回避することができる。
【００９８】
更に、本発明の第１実施形態に係る受光装置２０１は、受光領域の中央部ＲＣに受光装置が位置している場合、複数の受光素子２４１，２４２，２４３，…，２４ｊの一部に電力を供給し、一方、受光領域の端部ＲＥに受光装置２０１が位置している場合、複数の受光素子２４１，２４２，２４３，…，２４ｊのすべてに電力を供給する。
【００９９】
ところで、受光領域の中央部ＲＣに受光装置２０１が位置している場合、複数の受光素子２４１，２４２，２４３，…，２４ｊのそれぞれが同一の光信号を受信する可能性が比較的高い。一方、受光領域の端部ＲＥに受光装置２０１が位置している場合、複数の受光素子２４１，２４２，２４３，…，２４ｊの一部が光信号を受信できない可能性が比較的高い。
【０１００】
従って、上記のように受光装置２０１を構成することにより、光信号を確実に受信しながら、光信号を受信可能な期間において消費される電力の量を低減することができる。
【０１０１】
加えて、本発明の第１実施形態に係る受光装置２０１は、前回コンテンツと異なるコンテンツを表す光信号が送信される場合、コンテンツ情報送信期間Ｔ２において、複数の受光素子２４１，２４２，２４３，…，２４ｊへ電力を供給する。一方、受光装置２０１は、前回コンテンツと同一のコンテンツを表す光信号が送信される場合、コンテンツ情報送信期間Ｔ２において、複数の受光素子２４１，２４２，２４３，…，２４ｊへの電力の供給を停止する。
【０１０２】
これによれば、受光装置２０１は、前回コンテンツと異なるコンテンツを表す光信号が送信される場合にのみ、コンテンツ情報送信期間Ｔ２において、複数の受光素子２４１，２４２，２４３，…，２４ｊへ電力を供給する。従って、光信号を受信可能な期間において電力が無駄に消費されることをより一層確実に回避することができる。
【０１０３】
なお、第１実施形態においては、受光装置２０１は、受信された制御情報に含まれる更新日時情報が表す日時が、記憶装置２２に記憶されている更新日時情報が表す日時と一致していると判定された場合、電力の供給を停止するように構成されていた。
【０１０４】
ところで、第１実施形態の変形例に係る受光装置２０１は、受信された制御情報に含まれる更新日時情報が表す日時が、記憶装置２２に記憶されている更新日時情報が表す日時と一致していると判定された回数を計数し、計数された回数が予め設定された閾値（２以上の整数）以上となった場合にのみ、電力の供給を停止するように構成されていてもよい。
【０１０５】
なお、第１実施形態においては、受光装置２０１は、制御情報送信期間Ｔ１において、電力供給受光素子数制御フラグＦｎに従って、電力を供給する対象となる受光素子の数を決定するように構成されていた。ところで、第１実施形態の変形例に係る受光装置２０１は、制御情報送信期間Ｔ１においては、電力供給受光素子数制御フラグＦｎにかかわらず、複数の受光素子２４１，２４２，２４３，…，２４ｊのすべてへ電力を供給するように構成されていてもよい。
【０１０６】
＜第２実施形態＞
次に、本発明の第２実施形態に係る受光装置について図１２を参照しながら説明する。
第２実施形態に係る受光装置１００は、
電力が供給されることにより、光信号を受信する光信号受信部（光信号受信手段）１０１と、
上記受信された光信号に基づいて、上記光信号受信部１０１への電力の供給を制御する電力供給制御部（電力供給制御手段）１０２と、
を備える。
【０１０７】
これによれば、光信号を受信可能な（即ち、光信号受信部１０１へ電力を供給すれば、光信号を受信することができる）期間において電力が無駄に消費されることを回避することができる。
【０１０８】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１０９】
なお、上記各実施形態において受光装置の各機能は、処理装置がプログラム（ソフトウェア）を実行することにより実現されていたが、回路等のハードウェアにより実現されていてもよい。
【０１１０】
また、上記各実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１１１】
また、上記実施形態の他の変形例として、上述した実施形態及び変形例の任意の組み合わせが採用されてもよい。
【０１１２】
＜付記＞
上記実施形態の一部又は全部は、以下の付記のように記載され得るが、以下には限られない。
【０１１３】
（付記１）
電力が供給されることにより、光信号を受信する光信号受信手段と、
前記受信された光信号に基づいて、前記光信号受信手段への電力の供給を制御する電力供給制御手段と、
を備える受光装置。
【０１１４】
これによれば、光信号を受信可能な（即ち、光信号受信手段へ電力を供給すれば、光信号を受信することができる）期間において電力が無駄に消費されることを回避することができる。
【０１１５】
（付記２）
付記１に記載の受光装置であって、
前記光信号受信手段は、電力が供給されることにより、前記光信号を受信する受光素子を複数含み、
前記電力供給制御手段は、複数の発光部のそれぞれにより送信された光信号の少なくとも１つを受信可能な領域である受光領域の中央部に前記受光装置が位置している場合、前記複数の受光素子の一部に電力を供給し、一方、当該受光領域の端部に当該受光装置が位置している場合、前記複数の受光素子のすべてに電力を供給するように構成された受光装置。
【０１１６】
ところで、受光領域の中央部に受光装置が位置している場合、複数の受光素子のそれぞれが同一の光信号を受信する可能性が比較的高い。一方、受光領域の端部に受光装置が位置している場合、複数の受光素子の一部が光信号を受信できない可能性が比較的高い。
【０１１７】
従って、上記のように受光装置を構成することにより、光信号を確実に受信しながら、光信号を受信可能な期間において消費される電力の量を低減することができる。
【０１１８】
（付記３）
付記２に記載の受光装置であって、
前記光信号は、当該光信号を受信する装置の位置が、前記受光領域の中央部、及び、当該受光領域の端部、のいずれであるかを表す受光領域内位置情報を表す部分を含み、
前記電力供給制御手段は、前記受信された光信号が表す受光領域内位置情報に基づいて、前記光信号受信手段への電力の供給を制御するように構成された受光装置。
【０１１９】
（付記４）
付記１乃至付記３のいずれかに記載の受光装置であって、
前記光信号は、前記光信号受信手段への電力の供給を制御するための制御情報と、当該制御情報に後続し且つコンテンツの少なくとも一部を表すコンテンツ情報と、からなる送信単位情報を表し、且つ、繰り返し送信され、
前記電力供給制御手段は、
前記光信号のうちの、前記制御情報を表す部分が送信される制御情報送信期間において、前記光信号受信手段へ電力を供給するように構成され、且つ、
前回、受信された光信号が表すコンテンツである前回コンテンツと異なるコンテンツを表す光信号が送信される場合、当該光信号のうちの、当該コンテンツの少なくとも一部を表すコンテンツ情報を表す部分が送信されるコンテンツ情報送信期間において、前記光信号受信手段へ電力を供給し、一方、当該前回コンテンツと同一のコンテンツを表す光信号が送信される場合、当該コンテンツ情報送信期間において、前記光信号受信手段への電力の供給を停止するように構成された受光装置。
【０１２０】
これによれば、受光装置は、前回コンテンツと異なるコンテンツを表す光信号が送信される場合にのみ、コンテンツ情報送信期間において、光信号受信手段へ電力を供給する。従って、光信号を受信可能な期間において電力が無駄に消費されることをより一層確実に回避することができる。
【０１２１】
（付記５）
付記４に記載の受光装置であって、
前記制御情報は、前記コンテンツが更新された日時を表す更新日時情報を含み、
過去に受信された光信号が表す更新日時情報が表す日時のうちの最新の日時を表す更新日時情報を記憶する最新更新日時記憶手段を備え、
前記電力供給制御手段は、
前記受信された光信号が表す更新日時情報が表す日時が、前記記憶されている更新日時情報が表す日時と一致している場合、前記前回コンテンツと同一のコンテンツを表す光信号が送信されると判定し、一方、前記受信された光信号が表す更新日時情報が表す日時が、前記記憶されている更新日時情報が表す日時よりも後の日時である場合、前記前回コンテンツと異なるコンテンツを表す光信号が送信されると判定するように構成された受光装置。
【０１２２】
（付記６）
付記４又は付記５に記載の受光装置であって、
前記電力供給制御手段は、
前回、送信された光信号のうちの制御情報を表す部分が受信されなかった場合、今回、光信号のうちの制御情報を表す部分の受信が開始する時点として推定される時点よりも前の時点から、前記光信号受信手段への電力の供給を開始するように構成された受光装置。
【０１２３】
ところで、前回、送信された光信号のうちの制御情報を表す部分が受信されなかった場合、今回、光信号のうちの制御情報を表す部分の受信が開始する時点として推定される時点が、実際に当該部分の受信が開始する時点と一致しない可能性が比較的高い。そこで、上記のように受光装置を構成することにより、今回、光信号のうちの制御情報を表す部分を確実に受信することができる。
【０１２４】
（付記７）
付記１乃至付記６のいずれかに記載の受光装置であって、
前記電力供給制御手段は、
第１の電力量の電力が供給されることにより、前記受信された光信号が表す情報を処理する状態である処理状態と、当該第１の電力量よりも少ない第２の電力量の電力が供給される状態、又は、電力が供給されない状態、である待機状態と、に当該電力供給制御手段の作動状態が切り替わるように構成され、且つ、
前記光信号受信手段に電力が供給されている場合、当該電力供給制御手段の作動状態が前記処理状態に設定され、一方、当該光信号受信手段への電力の供給が停止している場合、当該電力供給制御手段の作動状態が前記待機状態に設定されるように構成された受光装置。
【０１２５】
これによれば、光信号受信手段に電力が供給されている場合にのみ、電力供給制御手段の作動状態が処理状態に設定される。従って、光信号を受信可能な期間において消費される電力の量をより一層、低減することができる。
【０１２６】
（付記８）
付記１乃至付記７のいずれかに記載の受光装置であって、
前記光信号は、可視光を変調することにより生成される信号である受光装置。
【０１２７】
（付記９）
光信号を送信する発光装置と、
前記送信された光信号を受信する受光装置と、
を備える光通信システムであって、
前記受光装置は、
電力が供給されることにより、前記送信された光信号を受信する光信号受信手段と、
前記受信された光信号に基づいて、前記光信号受信手段への電力の供給を制御する電力供給制御手段と、
を備える光通信システム。
【０１２８】
（付記１０）
付記９に記載の光通信システムであって、
前記発光装置は、光信号を送信する発光部を複数備え、
前記光信号受信手段は、電力が供給されることにより、前記光信号を受信する受光素子を複数含み、
前記電力供給制御手段は、前記複数の発光部のそれぞれにより送信された光信号の少なくとも１つを受信可能な領域である受光領域の中央部に前記受光装置が位置している場合、前記複数の受光素子の一部に電力を供給し、一方、当該受光領域の端部に当該受光装置が位置している場合、前記複数の受光素子のすべてに電力を供給するように構成された光通信システム。
【０１２９】
（付記１１）
付記９又は付記１０に記載の光通信システムであって、
前記光信号は、前記光信号受信手段への電力の供給を制御するための制御情報と、当該制御情報に後続し且つコンテンツの少なくとも一部を表すコンテンツ情報と、からなる送信単位情報を表し、
前記発光装置は、前記光信号を繰り返し送信するように構成され、
前記電力供給制御手段は、
前記光信号のうちの、前記制御情報を表す部分が送信される制御情報送信期間において、前記光信号受信手段へ電力を供給するように構成され、且つ、
前回、受信された光信号が表すコンテンツである前回コンテンツと異なるコンテンツを表す光信号が送信される場合、当該光信号のうちの、当該コンテンツの少なくとも一部を表すコンテンツ情報を表す部分が送信されるコンテンツ情報送信期間において、前記光信号受信手段へ電力を供給し、一方、当該前回コンテンツと同一のコンテンツを表す光信号が送信される場合、当該コンテンツ情報送信期間において、前記光信号受信手段への電力の供給を停止するように構成された光通信システム。
【０１３０】
（付記１２）
電力が供給されることにより、光信号を受信する光信号受信手段を備える受光装置に適用され、
前記受信された光信号に基づいて、前記光信号受信手段への電力の供給を制御する、受光装置制御方法。
【０１３１】
（付記１３）
付記１２に記載の受光装置制御方法であって、
前記光信号受信手段は、電力が供給されることにより、前記光信号を受信する受光素子を複数含み、
前記受光装置制御方法は、
複数の発光部のそれぞれにより送信された光信号の少なくとも１つを受信可能な領域である受光領域の中央部に前記受光装置が位置している場合、前記複数の受光素子の一部に電力を供給し、一方、当該受光領域の端部に当該受光装置が位置している場合、前記複数の受光素子のすべてに電力を供給する、受光装置制御方法。
【０１３２】
（付記１４）
付記１２又は付記１３に記載の受光装置制御方法であって、
前記光信号は、前記光信号受信手段への電力の供給を制御するための制御情報と、当該制御情報に後続し且つコンテンツの少なくとも一部を表すコンテンツ情報と、からなる送信単位情報を表し、且つ、繰り返し送信され、
前記受光装置制御方法は、
前記光信号のうちの、前記制御情報を表す部分が送信される制御情報送信期間において、前記光信号受信手段へ電力を供給し、
前回、受信された光信号が表すコンテンツである前回コンテンツと異なるコンテンツを表す光信号が送信される場合、当該光信号のうちの、当該コンテンツの少なくとも一部を表すコンテンツ情報を表す部分が送信されるコンテンツ情報送信期間において、前記光信号受信手段へ電力を供給し、一方、当該前回コンテンツと同一のコンテンツを表す光信号が送信される場合、当該コンテンツ情報送信期間において、前記光信号受信手段への電力の供給を停止する、受光装置制御方法。
【０１３３】
（付記１５）
電力が供給されることにより、光信号を受信する光信号受信手段を備える受光装置に、
前記受信された光信号に基づいて、前記光信号受信手段への電力の供給を制御する、処理を実行させるための受光装置制御プログラム。
【０１３４】
（付記１６）
付記１５に記載の受光装置制御プログラムであって、
前記光信号受信手段は、電力が供給されることにより、前記光信号を受信する受光素子を複数含み、
前記受光装置制御プログラムは、
複数の発光部のそれぞれにより送信された光信号の少なくとも１つを受信可能な領域である受光領域の中央部に前記受光装置が位置している場合、前記複数の受光素子の一部に電力を供給し、一方、当該受光領域の端部に当該受光装置が位置している場合、前記複数の受光素子のすべてに電力を供給する、処理を実行させるための受光装置制御プログラム。
【０１３５】
（付記１７）
付記１５又は付記１６に記載の受光装置制御プログラムであって、
前記光信号は、前記光信号受信手段への電力の供給を制御するための制御情報と、当該制御情報に後続し且つコンテンツの少なくとも一部を表すコンテンツ情報と、からなる送信単位情報を表し、且つ、繰り返し送信され、
前記受光装置制御プログラムは、
前記光信号のうちの、前記制御情報を表す部分が送信される制御情報送信期間において、前記光信号受信手段へ電力を供給し、
前回、受信された光信号が表すコンテンツである前回コンテンツと異なるコンテンツを表す光信号が送信される場合、当該光信号のうちの、当該コンテンツの少なくとも一部を表すコンテンツ情報を表す部分が送信されるコンテンツ情報送信期間において、前記光信号受信手段へ電力を供給し、一方、当該前回コンテンツと同一のコンテンツを表す光信号が送信される場合、当該コンテンツ情報送信期間において、前記光信号受信手段への電力の供給を停止する、処理を実行させるための受光装置制御プログラム。
【産業上の利用可能性】
【０１３６】
本発明は、電力が供給されることにより光信号を受信する受光装置等に適用可能である。
【符号の説明】
【０１３７】
１      光通信システム
１０    発光装置
１１    処理装置
１２１，１２２，１２３，…，１２ｉ  発光部
２０１，２０２，２０３，…，２０ｋ  受光装置
２１    処理装置
２２    記憶装置
２３    電源装置
２４１，２４２，２４３，…，２４ｊ  受光素子
２５    スイッチ
１００  受光装置
１０１  光信号受信部
１０２  電力供給制御部
【図１】
0005907554.tif 000002
【図２】
0005907554.tif 000003
【図３】
0005907554.tif 000004
【図４】
0005907554.tif 000005
【図５】
0005907554.tif 000006
【図６】
0005907554.tif 000007
【図７】
0005907554.tif 000008
【図８】
0005907554.tif 000009
【図９】
0005907554.tif 000010
【図１０】
0005907554.tif 000011
【図１１】
0005907554.tif 000012
【図１２】
0005907554.tif 000013